(57)【要約】【課題】既設の照明器具を用いて制振を行うことができる照明具および照明装置を提供する。【解決手段】照明具１は、光源ユニット１０と、前記光源ユニット１０に取り付けられ、衝撃を緩和する弾性部品７０とを備えている。前記弾性部品７０は、前記光源ユニット１０の外側に取り付けられている。前記光源ユニット１０は、筒管の形状をしており、前記弾性部品７０は、前記光源ユニット１０の外周に嵌め込まれたリングである。前記弾性部品７０は、前記光源ユニット１０に着脱可能に取り付けられている。前記弾性部品７０は、前記光源ユニット１０が振動した場合に最大振幅となる場所に取り付けられている。衝撃を緩和する弾性部品７０が光源ユニット１０に取り付けられているので、既設の照明器具を用いて光源ユニットの制振を行うことができる。【選択図】図２５
2018018621.tif 000002
【特許請求の範囲】
【請求項１】
光源ユニットと、
前記光源ユニットに取り付けられ、衝撃を緩和する弾性部品と
を備えた照明具。
【請求項２】
前記弾性部品は、前記光源ユニットの外側に取り付けられている請求項１記載の照明具。
【請求項３】
前記弾性部品は、前記光源ユニットの外周に嵌め込まれたリングである請求項２記載の照明具。
【請求項４】
前記弾性部品は、前記光源ユニットの外周に配置された円弧形状の弾性部品である請求項２記載の照明具。
【請求項５】
前記弾性部品は、前記光源ユニットの外周に配置された緩衝凸部である請求項２記載の照明具。
【請求項６】
前記弾性部品は、前記光源ユニットの先端に配置されたキャップ形状の弾性部品である請求項２記載の照明具。
【請求項７】
前記弾性部品は、前記光源ユニットを表面に形成された緩衝層である請求項２記載の照明具。
【請求項８】
前記弾性部品は、前記光源ユニットに着脱可能に取り付けられている請求項１から７いずれか１項に記載の照明具。
【請求項９】
前記弾性部品は、前記光源ユニットが振動した場合に最大振幅となる場所に取り付けられている請求項１から８いずれか１項に記載の照明具。
【請求項１０】
請求項１から９いずれか１項に記載の照明具と、
前記照明具が取り付けられた照明器具と、
を備えた照明装置。
【請求項１１】
前記弾性部品は、前記光源ユニットが前記照明器具と最も接近している場所に配置されている請求項１０記載の照明装置。
【請求項１２】
前記弾性部品は、前記照明器具と接触している請求項１０又は１１記載の照明装置。
【発明の詳細な説明】
【技術分野】
【０００１】
本発明は、地震などの振動による破損対策が施された照明具および照明装置に関する。
【背景技術】
【０００２】
街路灯や道路灯といった屋外で使用される照明用の器具内で、ランプが地震などで振動した際に、ランプと器具のガラスカバーとが当たってガラスカバーが割れたり、又は、ランプと器具の天板とが当たってランプが破損するという課題がある。
器具のガラスカバーが破損した場合は、ガラスの破片が落下し通行車両又は歩行者に当たって事故又は負傷に至るおそれがある。
特に、ランプと器具外郭との空間が大きい場合、空間内で振動するランプの振動振幅が非常に大きくなり、ガラスカバー又は天板との衝突エネルギーが大きくなり、破損する可能性が高くなる。
このような、課題を解決するため、以下のような先行技術が知られている。
【０００３】
特許文献１は、ランプを支持するためのランプ支持機構と、ソケットを光源筒に取り付けるためのソケット保持機構とを有する照明器具を開示している。
ランプ支持機構は光源筒内部に取り付けられた副反射面を有する副反射鏡のランプ挿通部に、前記副反射鏡と略同心円上にクッション材を備えたものである。
ソケット保持機構は、弾性のカラーを備えた取付捩子によりソケットを底部弾性体を介して光源筒内部底面に取り付けるものである。
特許文献１の照明器具は、ソケット保持機構が弾性のカラーを備えた取付捩子によりソケットを底部弾性体を介して光源筒内部底面に取り付けており、特許文献１の照明器具は専用の取付け構造が設けられていることが前提となっている。また、特許文献１には、密着して巻かれた所謂「引きばね」の張力によって制振する態様が開示されている。
【０００４】
特許文献２は、ケーシング内に誘電体バリア放電ランプが配置された誘電体バリア放電ランプ装置を開示している。
誘電体バリア放電ランプには、誘電体バリア放電の誘電体を兼ねる外形形状が細長い放電容器を介して一方の電極と他方の電極が設けられている。
誘電体バリア放電ランプの一端側にのみ、一方の電極と他方の電極に電気的に接続された給電部分を有する口金が設けられている。
誘電体バリア放電ランプの他端側である放電容器の先端部は、ケーシング内に設けられた保持部材によって保持されている。
特許文献２の誘電体バリア放電ランプ装置は、ランプの他端側である放電容器の先端部が、ケーシング内に設けられた保持部材によって保持されており、専用の取付け構造が設けられていることを前提としている。
【先行技術文献】
【特許文献】
【０００５】
【特許文献１】特開平０７−０６５６１９号公報
【特許文献２】特開２００１−１１０３６２号公報
【発明の概要】
【発明が解決しようとする課題】
【０００６】
特許文献１、２とも、照明器具側に保持機構又は保持部材を設ける構成となっているので、照明器具に取り付けられる照明ランプは専用の形又は大きさが要求され、照明ランプの選択が限定される。
【０００７】
本発明は、既設の照明器具を用いて制振を行うことができる照明具および照明装置を提供することを目的とする。
【課題を解決するための手段】
【０００８】
本発明の照明具は、
光源ユニットと、
前記光源ユニットに取り付けられ、衝撃を緩和する弾性部品と
を備えている。
【発明の効果】
【０００９】
本発明の照明具は、衝撃を緩和する弾性部品が光源ユニットに取り付けられているので、既設の照明器具を用いて光源ユニットの制振を行うことができる。
【図面の簡単な説明】
【００１０】
【図１】実施の形態１に係る照明具の組立状態を説明する斜視図。
【図２】実施の形態１に係る照明具の組立状態を説明する斜視図。
【図３】実施の形態１に係る照明具の構成要素を説明する分解斜視図。
【図４】実施の形態１に係る照明具の構成要素を説明する分解斜視図。
【図５】実施の形態１に係る照明具の正面図。
【図６】実施の形態１に係る照明具の底面図。
【図７】実施の形態１に係る照明具の平面図。
【図８】実施の形態１に係る照明具の背面図。
【図９】実施の形態１に係る照明具の左側面図。
【図１０】実施の形態１に係る照明具の右側面図。
【図１１】実施の形態１に係る光源ユニットの組立状態を説明する斜視図。
【図１２】実施の形態１に係る光源ユニットの組立状態を説明する斜視図。
【図１３】実施の形態１に係る光源ユニットの内部構造を説明する端面図。
【図１４】実施の形態１に係る光源ユニットの内部構造を説明する部分断面斜視図。
【図１５】実施の形態１に係る光源ユニットの内部構造を説明する部分断面斜視図。
【図１６】実施の形態１に係る照明具の効果を説明する斜視図。
【図１７】実施の形態１に係る照明具の別の効果を説明する斜視図。
【図１８】実施の形態１に係る照明具のさらに別の効果を説明する斜視図。
【図１９】実施の形態１に係る本体部の別の構成を説明する図。
【図２０】実施の形態１に係る放熱フィンの別の構成を説明する図。
【図２１】実施の形態１に係る連結部の別の構成を説明する図。
【図２２】実施の形態２に係る照明装置を説明する図。
【図２３】実施の形態２に係る別の照明装置を説明する図。
【図２４】実施の形態２に係るさらに別の照明装置を説明する図。
【図２５】実施の形態３に係る弾性部品を有する照明具を示す図。
【図２６】実施の形態３に係る弾性部品を有する照明具の右側面図と透視図。
【図２７】実施の形態３に係る弾性部品を示す図。
【図２８】実施の形態３に係る弾性部品を有する照明具と照明器具を示す図。
【図２９】実施の形態３に係る弾性部品を有する照明具と照明器具を示す図。
【図３０】実施の形態３に係る弾性部品を有する照明具と照明器具を示す図。
【図３１】実施の形態３に係る弾性部品を有する照明具を示す図。
【図３２】実施の形態３に係る弾性部品を有する照明具と照明器具を示す図。
【図３３】実施の形態３に係る弾性部品を有する照明具を示す図。
【図３４】実施の形態３に係る弾性部品の防水機能を示す図。
【図３５】実施の形態３に係る弾性部品を有する照明具と防水膜を示す図。
【図３６】実施の形態３に係る他の弾性部品を有する照明具を示す図。
【図３７】実施の形態３に係る他の弾性部品を有する照明具を示す図。
【発明を実施するための形態】
【００１１】
以下、本発明の実施の形態について、図を用いて説明する。
まず、実施の形態１，２において、弾性部品を有していない照明具と照明装置について説明する。
次に、実施の形態３おいて、弾性部品を有する照明具と照明装置について説明する。
【００１２】
なお、以下に説明する実施の形態によって本発明が限定されるものではない。以下に説明する実施の形態は、本質的に好ましい例示であって、本発明、その適用物及び用途の範囲を制限することを意図するものではなく、必要に応じて種々の変更が可能である。
【００１３】
また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１４】
また、各図中、同一又は相当する部分には、同一符号を付している。実施の形態の説明において、同一又は相当する部分については、その説明を適宜省略又は簡略化する。
【００１５】
実施の形態１．
＊＊＊構成の説明＊＊＊
＜＜＜照明具１＞＞＞
実施の形態１の照明具１について、図１から図１５を用いて説明する。
照明具１は、光源ユニット１０と、光源ユニット１０を支持固定する支持ユニット２０とを有している。
【００１６】
＜＜光源ユニット１０＞＞
光源ユニット１０は、本体部１００と、発光部１２０と、カバー１３０とを有している。
また、光源ユニット１０は、第１端部蓋１４０と、第２端部蓋１５０とを有している。
【００１７】
＜本体部１００＞
本体部１００は、筒形に形成されており、アルミニウムを使用し、押出し成形によって一体製造され、ヒートシンクとして機能する。
本体部１００は、外周側表面に外周面１１０を有し、内周側表面に内周面１０３を有する。
本体部１００には、外周面１１０に前記発光部１２０が配置される取付部１０２と、取付部１０２に対向した内周面１０３に発光部１２０が発する動作熱を放散させる熱放散部１０５とが形成されている。
【００１８】
本体部１００は、熱伝達経路あるいは熱伝達部となる筒部１０１を有する。筒部１０１は十六角柱で、中心軸Ｏと直交する断面における外接円の径寸法が均一の管体である。
筒部１０１は、外周面１１０に取付部１０２を有する。取付部１０２は、発光部１２０が配置される取付面として機能する。
筒部１０１は、内周面１０３に熱放散部１０５を有する。熱放散部１０５は、内周面１０３から突設された突設部であり、熱放散部１０５は、複数の放熱フィン１０８からなる。
筒部１０１には、筒端部として端部１０４がある。
熱放散部１０５である複数の放熱フィン１０８は、本体部１００の内周面１０３から本体部１００の内部空間側に立設されており、本体部１００の中心軸方向における一方の端部１０４から他方の端部１０４に渡って立設されている。複数の放熱フィン１０８は、本体部１００の厚さ寸法以上の高さで立設され、本体部１００と一体的に形成されている。
【００１９】
端部１０４には、ネジ孔１０６がある。ネジ孔１０６には、第１端部蓋１４０、第２端部蓋１５０、支持ユニット２０を取り付けるためのネジ１７０、ネジ５０がねじ込まれる。
【００２０】
本体部１００の内部には、内部空間１０７が形成されている。内部空間１０７は、熱交換部として機能し、空気の流路となる。内部空間１０７は、筒部１０１の内側の空間全体をいう。中心軸Ｏと直交する断面において、内部空間１０７の径寸法は筒部１０１の内径寸法と同じ大きさである。
【００２１】
内部空間１０７の中央には、通気空間１０９が存在する。本実施の形態における通気空間１０９は、内部空間１０７の中央にあり、熱放散部１０５が形成されていない筒状の空間であり、中心軸Ｏの方向への通気に対して障害物が全くない空間をいう。通気空間１０９は内部空間１０７の一部であり、通気空間１０９を他の空間から区画する境界物あるいは隔壁は存在しない。
【００２２】
＜発光部１２０＞
発光部１２０は、発光素子１２１と基板１２２とを有している。
発光素子１２１の好適な具体例は、固体発光素子、発光ダイオード素子、有機ＥＬ素子、レーザダイオード素子である。
基板１２２は、リジット基板でもよいし、フレキシブル基板でもよい。基板１２２の好適な具体例は、アルミニウム基材の基板であるが、基材として他の材質が選択されてもよい。
【００２３】
＜カバー１３０＞
カバー１３０は、発光素子１２１を覆うように、かつ、発光素子１２１と離間して本体部１００の外側に配置されている。カバー１３０の中心軸と本体部１００の中心軸とは、同じ中心軸Ｏに配置されている。
【００２４】
カバー１３０は、中心軸Ｏと直交する断面における直径が均一の管体であり、パイプ形状の透光性の筒管である。カバー１３０の好適な具体例は、ガラス管、樹脂管であるが、他の材質が選択されて形成されてもよい。
カバー１３０は、管体の主部となる透光部１３１を有する。
カバー１３０は、外周面１３２と、内周面１３３と、筒端部に端部１３４を有する。
発光素子１２１が実装された基板１２２とカバー１３０との間には、筒状の点灯空間１３７が形成されている。
カバー１３０は、基板１２２および本体部１００の外周面１１０と干渉しなければ、中心軸Ｏと直交する断面の形状は限定されない。また、カバー１３０は、基板１２２および本体部１００の外周面１１０と干渉しなければ、中心軸Ｏの方向において部分的に断面形状又は寸法が異なる態様であってもよい。
【００２５】
＜第１端部蓋１４０＞
第１端部蓋１４０は、本体部１００（筒部１０１）の一端部およびカバーの一端部１３４を覆うように本体部１００に取り付けられている。
第１端部蓋１４０は、本体部１００（筒部１０１）とカバー１３０との一端部を覆う蓋であり、第１キャップとして機能する。
第１端部蓋１４０の好適な具体例は、アルミニウムであるが、他の材質が選択されてよい。
【００２６】
第１端部蓋１４０は、主部となる円環部１４１を有している。円環部１４１は、ドーナツ形状をしている。図１４、図１５に示すように、円環部１４１は、外縁にカバー１３０の端部１３４を覆う環状庇１４９を有している。
第１端部蓋１４０は、図１４、図１５に示すように、第１ガスケット１６０を配置する環状の溝部１４２を有する。溝部１４２は第１ガスケット配置部として機能する。ガスケットとは、構造に気密性、液密性を持たせるために用いる固定用シール材である。ガスケットの好適な例はゴムリング又はゴムシート又は樹脂リングである。
第１ガスケット１６０の径は、カバー１３０の径と同じであり、第１ガスケット１６０は、カバー１３０の端部１３４と全周で密着する。
【００２７】
第１端部蓋１４０には、橋部１４４がある。橋部１４４は、円環部１４１の中央の空間を横切るブリッジである。橋部１４４は、中心軸Ｏまで幅の大きい幅太橋１４７と幅の小さい幅細橋１４８を有する。
第１端部蓋１４０は、橋部１４４の両側に２個の半円形状の通気口１４６を形成している。通気口１４６は、本体部１００の内部空間１０７と外部空間とを連通させる開口である。
第１端部蓋１４０は、９０度間隔で配置された４個のネジ孔１４３を有する。ネジ孔１４３には、第１端部蓋１４０を取り付けるためのネジ１７０がねじ込まれる。
【００２８】
＜第２端部蓋１５０＞
第２端部蓋１５０は、本体部１００（筒部１０１）の他端部およびカバーの他端部１３４を覆うように本体部１００に取り付けられている。
第２端部蓋１５０は、本体部１００（筒部１０１）とカバー１３０との他端部を覆う蓋であり、第２キャップとして機能する。
第２端部蓋１５０の好適な具体例は、アルミニウムであるが、他の材質が選択されてよい。
【００２９】
第２端部蓋１５０は、第１端部蓋１４０と同様に、円環部１５１、溝部１５２、ネジ孔１５３、橋部１５４を有し、橋部１５４の両側に２個の半円形状の通気口１５６を形成している。
橋部１５４は、幅の大きい幅太橋１５７と幅の小さい幅細橋１５８を有している。
【００３０】
第２端部蓋１５０は、貫通孔１５５を有する。貫通孔１５５は、溝部１５２より内側に形成されている。貫通孔１５５は、配線部材３０を通す通線孔であり、かつ、点灯空間１３７と外部空間とを連通させる通気孔である。
【００３１】
＜＜支持ユニット２０＞＞
支持ユニット２０は、発光素子１２１を点灯させる点灯電力を外部から受電する受電端２００が取り付けられており、受電端２００から発光素子１２１が実装された基板１２２に点灯電力を伝達する配線部材３０を配置する配線経路が形成されている。
支持ユニット２０は、受電端２００と、支持体２１０と、連結部２３０と、第２ガスケット２５０とを有している。
【００３２】
＜受電端２００＞
受電端２００は、口金であり、口金筐体２０１と、アイレット２０２とを有している。
【００３３】
＜支持体２１０＞
支持体２１０は、絶縁部であり、樹脂材料を用いて製造される。
支持体２１０は、筒形状の支持筒部２１２を有する。
支持筒部２１２の第１端部２１６は、口金側端部であり、口金筐体２０１が嵌めこまれる羅合部２１１を有している。
支持筒部２１２の第２端部２１７は、連結部側端部であり、支持鍔部２１３を有している。支持鍔部２１３は、環状形状をしており、連結部２３０を連結する連結部取付部として機能する。
支持鍔部２１３は、９０度間隔で配置された４個のネジ孔２１４を有する。ネジ孔２１４には、連結部２３０を取り付けるためのネジ２６０がねじ込まれる。
支持鍔部２１３は、第２ガスケット２５０を配置する溝部２１５を有する。支持鍔部２１３は、第２ガスケット配置部として機能する。
【００３４】
＜連結部２３０＞
連結部２３０は、光源ユニット１０と支持ユニット２０とを両端部に連結して固定する。
連結部２３０は、光源ユニット１０からの熱を吸収して熱放散経路として機能する。
【００３５】
連結部２３０の第１端部２３８は、支持体側端部であり、連結筒部２３１を有する。連結筒部２３１には、支持体２１０を覆う蓋２４７があり、蓋２４７の中央に配線部材３０を通す配線穴２４８がある。
連結筒部２３１の蓋２４７の周囲には連結鍔部２３２が形成されている。連結鍔部２３２は、支持体２１０と連結される支持体取付部として機能する。
【００３６】
連結部２３０の第２端部２３９は、光源ユニット側端部であり、光源ユニット１０と連結される円環部２３３を有する。
円環部２３３は、光源ユニット支持部として機能する。
円環部２３３は、９０度間隔で配置された４個のネジ孔２３４を有する。ネジ孔２３４には、支持ユニット２０を光源ユニット１０に取り付けるためのネジ５０がねじ込まれる。
【００３７】
円環部２３３は、第２端部蓋１５０に対応した形状をしている。
円環部２３３には、十字形状の４個のブリッジがある。ブリッジは、円環部１４１の中央を横切っており、円環部２３３の中央に４個の扇形状の通気口２４６を形成している。
【００３８】
ブリッジの一つは、幅太ブリッジ２４１であり、残り３つは幅細ブリッジ２４２である。幅太ブリッジ２４１は、幅太橋１５７と同じ幅を有し、幅太ブリッジ２４１に中央に長尺の溝部２３７を有する。溝部２３７は、長尺楕円状の第３ガスケット４０を配置し、第３ガスケット４０の内側に配線部材３０を配置する。溝部２３７は、第３ガスケット配置部として機能し、かつ、電線対配置部として機能する。第３ガスケット４０は、光源ユニット１０と支持ユニット２０との間に形成された配線経路を液密に封止する。
【００３９】
連結筒部２３１と円環部２３３とは、突設部２３５により結合されている。
突設部２３５は、中心軸Ｏから十字形状に配置された４枚の放熱板２４０からなる。４枚の放熱板２４０は矩形又は正方形であり、中心軸Ｏと平行にかつ中心軸Ｏから放射状に９０度間隔で配置されている。
突設部２３５には、４枚の放熱板２４０により区切られた４個の突設空間２４９が存在している。突設空間２４９は、円柱を４分の１にした形状であり、突設空間２４９の一端は内部空間１０７と直結しており、突設空間２４９の外周は外気と直結している。突設空間２４９は、内部空間１０７を延長した空間であり、突設空間２４９と内部空間１０７との径は同じである。突設空間２４９と内部空間１０７とは連続しており十字形状の４個のブリッジを除き障害物がないから、突設空間２４９と内部空間１０７とは大気が自由に流通できる。
【００４０】
放熱板２４０の中心軸方向の一端は、円環部２３３の４個のブリッジに結合されている。
放熱板２４０の中心軸方向の他端は、蓋２４７に結合されている。
円環部２３３の十字形状の４個のブリッジは突設部２３５の端部に形成されており、４個のブリッジと４枚の放熱板２４０とは連続している。
本体部１００から伝達されてきた熱は円環部２３３と４個のブリッジに伝わり、さらには、突設部２３５に伝わり、４枚の放熱板２４０から外気に放熱される。本体部１００、円環部２３３、突設部２３５は熱放散経路としての機能を有する。
突設部２３５の中央では、４枚の放熱板２４０が接合されており、中心軸Ｏには配線部材３０を通す挿通部２３６がある。挿通部２３６は、電線対配置部として機能する。
【００４１】
＜＜配線経路＞＞
照明具１の外部から受電し発光素子１２１を点灯させる点灯電力は、受電端２００と発光素子１２１が実装された基板１２２とを電気的に接続している配線部材３０により供給される。配線部材３０が照明具１の外部に露出しないように、支持ユニット２０の内部に配線経路が形成されている。
配線経路とは、第２端部蓋１５０の貫通孔１５５、支持体２１０の溝部２３７と第３ガスケット４０、突設部２３５の挿通部２３６、連結筒部２３１の配線穴２４８である。
第２端部蓋１５０の貫通孔１５５は、支持体２１０の溝部２３７と第３ガスケット４０の一端に位置している。突設部２３５の挿通部２３６は、支持体２１０の溝部２３７と第３ガスケット４０の他端に位置している。突設部２３５の挿通部２３６と連結筒部２３１の配線穴２４８とは中心軸Ｏに位置している。その結果、配線経路は、クランク形状に形成されている。
【００４２】
＜＜内部構造＞＞
図１３を用いて、光源ユニット１０の内部構造について説明する。
本体部１００は十六角柱であり、１６個の取付部１０２を有し、１６個の実装面を有した基板１２２が取り付けられている。基板１２２の各面には、それぞれ１０個の発光素子１２１が１列に中心軸Ｏに沿って配列されている。
【００４３】
＜ネジ孔１０６＞
本体部１００の端部１０４の内周面１０３には、複数の放熱フィン１０８の間に４５度間隔で配置された８個のネジ孔１０６がある。ネジ孔１０６は、すべて本体部１００の強度を増すために、十六角柱の本体部１００の角部分の裏側に形成されている。ネジ孔１０６は、内部空間１０７に向かって開口されたＣ字形状をしており、放熱しやすい構成、及び、通気しやすい構成になっている。ネジ孔１０６の中心軸方向の長さは、ネジ長以下である。
【００４４】
９０度間隔で配置された４個のネジ孔１０６には、第１端部蓋１４０又は第２端部蓋１５０を取り付けるためのネジ１７０がねじ込まれる。
９０度間隔で配置された他の４個のネジ孔１０６には、支持ユニット２０を取り付けるためのネジ５０がねじ込まれる。ネジ５０は、支持鍔部２１３のネジ孔２１４から挿入され、第２端部蓋１５０の円環部１５１を間に挟んで、支持鍔部２１３を本体部１００に固定する。
【００４５】
＜放熱フィン１０８＞
本体部１００（筒部１０１）の内周面１０３には、熱放散部１０５として１６枚の放熱フィン１０８がある。
放熱フィン１０８は、すべて発光素子１２１の裏側に立設されている。
放熱フィン１０８は、本体部１００（筒部１０１）の一方の端部１０４から他方の端部１０４に渡って形成された厚さ均一の矩形の板である。
複数の放熱フィン１０８は、すべて形状、厚さ、高さが同じである。
【００４６】
複数の放熱フィン１０８は、すべて本体部１００（筒部１０１）の中心軸Ｏと平行に配列されている。
複数の放熱フィン１０８は、すべて本体部１００（筒部１０１）の中心軸に向けて中心軸の途中までの高さで立設されている。
複数の放熱フィン１０８は、すべて本体部１００（筒部１０１）と一体成形されており、本体部１００（筒部１０１）の内周面１０３のみに固定されている。
複数の放熱フィン１０８は、いずれも他の放熱フィンと連結されていない。
本体部１００（筒部１０１）の中央には複数の放熱フィン１０８が全く存在しない通気空間１０９が存在する。
【００４７】
＜寸法関係＞
図６、図９、図１０、図１３により、部品の寸法関係を説明する。
図６、図９、図１０、図１３において、記号の意味は以下のとおりである。なお、本体部１００は十六角柱であるが、以下では円柱であるとみなしている。また、以下の長さとは中心軸方向の長さである。また、以下の記載で、「Ａ〜Ｂ」は、Ａ以上Ｂ以下を意味する。
【００４８】
Ｌ１＝照明具１の長さ
Ｌ２＝光源ユニット１０の長さ
Ｌ３＝連結部２３０の長さ
Ｌ４＝支持体２１０の支持筒部２１２の長さ
Ｌ５＝受電端２００の長さ
Ｌ６＝基板１２２の長さ
Ｌ７＝本体部１００の長さ＝カバー１３０の長さ
【００４９】
寸法の関係は以下のとおりである。
Ｌ１＝Ｌ２＋Ｌ３＋Ｌ４＋Ｌ５
Ｌ６＜Ｌ７
【００５０】
Ｗ１＝光源ユニット１０の外周径＝第１端部蓋１４０の外周径＝第２端部蓋１５０の外周径
Ｗ２＝連結部２３０の最大外周径
Ｗ３＝支持体２１０の最大外周径
Ｗ４＝支持筒部２１２の外周径
Ｗ５＝受電端２００の外周径
Ｗ６＝カバー１３０の外周径
Ｗ７＝本体部１００の外周径
Ｗ８＝第１端部蓋１４０の内周径＝第２端部蓋１５０の内周径
Ｗ９＝カバー１３０の内周径
Ｗ１０＝本体部１００の内周径
Ｗ１１＝発光素子１２１の頂部の最大間隔
Ｔ＝放熱フィン１０８の高さ
θ＝放熱フィン１０８の中心角＝２２．５度
【００５１】
寸法の関係は以下のとおりである。
Ｗ５＜Ｗ４＜Ｗ３＜Ｗ２
Ｗ８＝Ｗ１０＜Ｗ７＜Ｗ１１＜Ｗ９＜Ｗ６＜Ｗ１
Ｔ＝Ｗ１０／６、又は、Ｔ≒Ｗ１０／６
【００５２】
本体部１００とカバー１３０とは、径が異なる（Ｗ１０＜Ｗ９、Ｗ７＜Ｗ６）が、長さはともにＬ７で同じである。
本体部１００の外周径Ｗ７とカバー１３０の外周径Ｗ６との好適な比は、７：９（７．７：１０）であるが、６：１０〜９：１０でもよい。
カバー１３０に対して本体部１００が近づくほど本体部１００の内部空間１０７が大きくなり、放熱の観点からは、本体部１００とカバー１３０との外周径の比は大きい方が望ましく、８：１０あるいは９：１０がより好ましい。
【００５３】
本体部１００の内周径Ｗ１０と長さＬ７の好適な比は、２：３であるが、１：３〜４：３でもよい。
放熱の観点からは、本体部１００の内周径Ｗ１０と長さＬ７の比は大きい方が望ましく、３：３あるいは４：３がより好ましい。
さらに好ましくは、本体部１００形状と大きさは、従来用いられていたランプに合わせたものであるとよい。
【００５４】
連結部２３０の長さＬ３と光源ユニット１０の長さＬ２との好適な比は、１：３であるが、０．５：３〜２：３でもよい。連結部２３０の長さＬ３は、内部空間１０７の空気が支障なく突設空間２４９に流れること、及び、突設部２３５から突設空間２４９に支障なく放熱できることが満足できればよく、短かすぎると通気性と放熱性とが悪くなるので、０．５：３より大きい方がよい。通気性と放熱性とのためには、１：３〜２：３がより好ましい。
【００５５】
支持体２１０の外周径Ｗ３と連結部２３０の外周径Ｗ２との好適な比は、３：４であるが、１：４〜３：４でもよい。支持体２１０の外周径Ｗ３が小さいほど、内部空間１０７の空気が支障なく流れるので、３：４より小さい方がよく、２：４、さらには、１：４がよりよい。
あるいは、支持体２１０の外周径Ｗ３が受電端２００の外周径Ｗ５と同じであれば好ましい。
【００５６】
第１端部蓋１４０の内周径と第２端部蓋１５０の内周径はともにＷ８で同じである。また、本体部１００の内周径Ｗ１０は、第１端部蓋１４０の内周径Ｗ８と第２端部蓋１５０の内周径Ｗ８と同じである（Ｗ８＝Ｗ１０）。したがって、第１端部蓋１４０の内周と第２端部蓋１５０の内周が本体部１００の内部空間１０７の通気を遮ることはない。
【００５７】
放熱フィン１０８の高さＴは、本体部１００の内周径Ｗ１０の５分の１が好適であるが、本体部１００の内周径Ｗ１０の８分の１から３分の１の範囲でもよい。
【００５８】
＊＊＊実施の形態の効果の説明＊＊＊
図１６〜図１８を参照して本実施の形態の効果を説明する。
図１６は、中心軸Ｏが略水平方向と沿う状態で照明具１を点灯させた場合の気流の様子を模式的に示した図である。
【００５９】
上述の通り、本実施の形態の光源ユニット１０において、発光部１２０の発光素子１２１が発する動作熱は、取付部１０２から筒部１０１を介して内周面１０３又は熱放散部１０５の放熱フィン１０８に伝達され、内周面１０３又は熱放散部１０５の放熱フィン１０８から内部空間１０７を満たしている気体（空気）に放散される。本体部１００から放散された熱によって暖められた内部空間１０７を満たしている気体（空気）は熱膨張して軽くなり、図１６における本体部１００の両端部１０４の上方に向かって移動し、両端部１０４の外側上方へ流出する。そして、外部空間を満たし暖められていない気体（空気）は、図１６における本体部１００の両端部１０４の下方を経由して内部空間１０７に流入する。
【００６０】
つまり、中心軸Ｏが略水平方向と沿う状態で照明具１を点灯させた場合は、両端部１０４の下方から内部空間１０７に流入して両端部１０４の上方から流出する大きく２つの気流が発生するので効率的な熱交換を行うことができる。このように、照明具１は簡単な構成で効率的に冷却することができ、長時間にわたって点灯動作が継続された場合であっても品質と性能を維持することができる。
【００６１】
図１７は、受電端２００を下方に向け中心軸Ｏが略鉛直方向と沿う状態で照明具１を点灯させた場合の気流の様子を模式的に示した図である。
【００６２】
上述の通り、本実施の形態の光源ユニット１０において、発光部１２０の発光素子１２１が発する動作熱は、取付部１０２から筒部１０１を介して内周面１０３又は熱放散部１０５の放熱フィン１０８に伝達され、内周面１０３又は熱放散部１０５の放熱フィン１０８から内部空間１０７を満たしている気体（空気）に放散される。
【００６３】
本体部１００から放散された熱によって暖められた内部空間１０７を満たしている気体（空気）は熱膨張して軽くなり、図１７における本体部１００の上側の端部１０４に向かって移動し、本体部１００の外側上方へ流出する。そして、外部空間を満たし暖められていない気体（空気）は、図１７における本体部１００の下側の端部１０４の下方を経由して内部空間１０７に流入する。
【００６４】
図１８は、受電端２００を上方に向け中心軸Ｏが略鉛直方向と沿う状態で照明具１を点灯させた場合の気流の様子を模式的に示した図である。
【００６５】
上述の通り、本実施の形態の光源ユニット１０において、発光部１２０の発光素子１２１が発する動作熱は、取付部１０２から筒部１０１を介して内周面１０３又は熱放散部１０５の放熱フィン１０８に伝達され、内周面１０３又は熱放散部１０５の放熱フィン１０８から内部空間１０７を満たしている気体（空気）に放散される。
【００６６】
本体部１００から放散された熱によって暖められた内部空間１０７を満たしている気体（空気）は熱膨張して軽くなり、図１８における本体部１００の上側の端部１０４に向かって移動し、本体部１００の外側上方へ流出する。そして、外部空間を満たし暖められていない気体（空気）は、図１８における本体部１００の下側の端部１０４の下方を経由して内部空間１０７に流入する。
【００６７】
上記のとおり、図１７又は図１８に示したような状態で照明具１を点灯させた場合、本体部１００から放散された熱によって暖められた内部空間１０７を満たしている気体（空気）は順次上方へ移動しながら、外部空間を満たし暖められていない気体（空気）は下方から上方に向かって順次供給される。
【００６８】
つまり、中心軸Ｏが略鉛直方向と沿う状態で照明具１を点灯させた場合は、暖められていない気体（空気）が下方の端部１０４から内部空間１０７に継続して流入し、流入した気体（空気）は内部空間１０７で暖められながら内部空間１０７を上方に移動し、内部空間１０７で暖められた気体（空気）は上方の端部１０４から外部空間に継続して流出する。ドラフト効果（通気力、煙突効果ともいう）による定常的な気流が発生するので効率的な熱交換を行うことができる。このように、照明具１は簡単な構成で効率的に冷却することができ、長時間にわたって点灯動作が継続された場合であっても品質と性能を維持することができる。
【００６９】
図１７又は図１８に示したようなドラフト効果を得る環境では一般に式１の関係がある。
Ｑ＝Ｃ＊Ａ＊√（２ｇ＊Ｈ＊（Ｔｉ−Ｔｏ）／Ｔｉ）・・・（式１）
Ｑ：ドラフト効果による給気速度［ｍ３・ｇ−１］
Ｃ：流量係数
Ａ：内部空間１０７の断面積［ｍ２］
ｇ：重力加速度［９．８０６６５ｍ・ｓ−２］
Ｈ：内部空間１０７の長さ寸法［ｍ］
Ｔｏ：外部空間の気体（空気）の温度［Ｋ］
Ｔｉ：内部空間１０７の気体（空気）の平均温度［Ｋ］
【００７０】
本実施の形態において、
Ａ≒π＊（（本体部１００の内周径Ｗ１０）／２）２
Ｈ≒光源ユニット１０の長さＬ２≒本体部１００の長さＬ７
であり、本体部１００の外形寸法（内周径Ｗ１０、長さＬ７）を、発光素子１２１の動作温度に対応づけられた内部空間１０７の気体（空気）の平均温度が所定値を超えないように決定する。
【００７１】
＊＊＊製造方法＊＊＊
照明具１の製造方法は以下のとおりである。
各部品は予め揃っているものとする。
【００７２】
本体部１００に発光部１２０を取り付ける。
発光部１２０の基板１２２に配線部材３０を半田付けする。
本体部１００の一端部に第１端部蓋１４０をネジ止めする。
第１端部蓋１４０の溝部１４２に第１ガスケット１６０を配置する。
本体部１００をカバー１３０に挿入してカバー１３０の一端部を第１ガスケット１６０に当てる。
別な第１ガスケット１６０をカバー１３０の他端部に当てて、第２端部蓋１５０の貫通孔１５５に配線部材３０を通し、本体部１００の他端部に第２端部蓋１５０をネジ止めする。
この時点で、光源ユニット１０が完成する。
【００７３】
第１端部蓋１４０と第２端部蓋１５０との取り付けは、順番が逆でもよい。
【００７４】
配線部材３０を、第３ガスケット４０に通し、突設部２３５の挿通部２３６に通す。
第３ガスケット４０を連結部２３０の溝部２３７に配置して、本体部１００の他端部に連結部２３０をネジ止めする。
配線部材３０を第２ガスケット２５０と連結筒部２３１の配線穴２４８に通す。
第２ガスケット２５０を間に挟んで、連結部２３０に支持体２１０をネジ止めする。
配線部材３０を受電端２００に半田付けし、受電端２００を支持体２１０にねじこんで固定する。
この時点で、照明具１が完成する。
【００７５】
＜照明具１の構成＞
以上のように、この実施の形態１の照明具１は、下記を含んで構成される。
（１）熱源としての発光部１２０（発光素子１２１）
（２）熱伝達経路としての本体部１００（筒部１０１）
（３）熱放散経路としての本体部１００（筒部１０１）と連結部２３０（円環部２３３）（４）放熱部としての熱放散部１０５（放熱フィン１０８）と連結部２３０（突設部２３５）
（５）通気経路としての内部空間１０７（通気空間１０９）と突設空間２４９
【００７６】
また、照明具１は、照明器具のソケットに取り付けられた状態で光源ユニット１０を支持する支持ユニット２０を含んで構成される。
支持ユニット２０は、外部空間から光源ユニット１０の内部空間１０７への給気、又は光源ユニット１０の内部空間１０７から外部空間への排気を妨げることなく、光源ユニット１０のソケットへの取り付けが可能である。
【００７７】
＜ヒートシンクの構成＞
また、この実施の形態１の本体部１００は、ヒートシンクとして機能させるため以下の構成を採用している。
（１）筒部１０１を中空の直管で形成して、内部空間１０７の中心軸方向の通気を最大にするために、内部空間１０７には熱放散部１０５以外に障害物を設置していない。
（２）熱放散部１０５は、中心軸方向の通気を妨げないようにするため、すべて中心軸方向と平行に薄板状に配置されている。
（３）熱放散部１０５は内周面１０３から中心軸Ｏに向かって中心軸Ｏ途中まで立設され、内部空間１０７の中央には、熱放散部１０５が存在しない円柱状の通気空間１０９があり、空気の自由通路を提供している。通気空間１０９があるので、照明具１が横置きされても、空気が上方向に移動しやすい。
（４）熱放散部１０５は、すべての発光素子１２１の裏側に存在している。
すなわち、１列に配列された複数の発光素子１２１に対応して、放熱フィン１０８が存在している。
（５）本体部１００は金属製で一体成形されている。
【００７８】
＊＊＊他の構成＊＊＊
＜本体部１００の他の構成＞
本体部１００の端部１０４の内周にあるネジ孔１０６は、外周に配置してもよい。ネジ孔１０６が本体部１００の外周にあれば、通気性が向上する。
【００７９】
本体部１００の一端には支持ユニット２０が取り付けられないので、支持ユニット２０が取り付けられない本体部１００の端部１０４には、支持ユニット２０を取り付けるための４個のネジ孔１０６はなくてもよい。４個のネジ孔１０６がなくなれば通気性が向上する。
【００８０】
本体部１００は、通気性の観点からは円柱であることが望ましい。本体部１００は、楕円柱であってもよい。
本体部１００が角柱である場合は、十六角柱でなくてもよく、多角柱であればよい。円柱に近い方が望ましく、六角柱以上あるいは八角柱以上あるいは一二角柱さらには二十角柱以上であることが望ましい。
【００８１】
図１９に、本体部１００の他の形状を示す。
（ａ）のとおり、本体部１００の片方の端部に予め鍔１１１を形成してもよい。鍔１１１は、カバー１３０の端部を押えるものであり、カバー１３０との一端部を覆う第１キャップ又は第２キャップとして機能する。鍔１１１が片方あることにより、第１端部蓋１４０又は第２端部蓋１５０を省略することができる。
（ｂ）のとおり、本体部１００の両方の端部に予め鍔１１１を形成してもよい。カバー１３０は、鍔１１１の外周に固定される。
鍔１１１が両端部あることにより、第１端部蓋１４０と第２端部蓋１５０の両方を省略することができる。
（ｃ）のとおり、本体部１００の厚さは厚さが均一でなくてもよく、両端部が薄く中央に向かって厚くなるようにしてもよい。
（ｄ）のとおり、本体部１００は直管ではなく、円錐台形状又はラッパ形状でもよい。カバー１３０の形状は、円筒形状でもよいし、円錐台形状又はラッパ形状でもよい。
【００８２】
＜放熱フィン１０８の他の構成＞
図２０に、放熱フィン１０８の他の形状を示す。
（ａ）のとおり、放熱フィン１０８は、両サイドがカットされた台形形状をしていてもよい。両サイドにおいて通気性が向上する。
（ｂ）のとおり、放熱フィン１０８は、両サイドがカットされた三角形状又は山形形状をしていてもよい。両サイドにおいて通気性が向上する。
（ｃ）のとおり、放熱フィン１０８は、途中に通気穴１１２があってもよい。通気穴１１２により通気性が向上する。
（ｄ）のとおり、放熱フィン１０８は、途中にスリット１１３があってもよい。スリット１１３により通気性が向上する。
（ｅ）のとおり、放熱フィン１０８は、厚さが均一でなくてもよく、根本が厚く先端に行くにしたがって細くなっていてもよい。また、放熱フィン１０８は、高さが均一でなくてもよい。
また、放熱フィン１０８は、十六枚以上存在していてもよい。
また、放熱フィン１０８は、本体部１００の基板１２２のない外周面に存在していてもよい。
【００８３】
＜第１端部蓋１４０の他の構成＞
本体部１００の一端には支持ユニット２０が取り付けられないので、支持ユニット２０が取り付けられない第１端部蓋１４０には、橋部１４４はなくてもよい。橋部１４４がなくなれば通気性が向上する。
あるいは、第１端部蓋１４０に橋部１４４を設ける場合でも、幅太橋１４７を設ける必要はなく幅細橋１４８だけを設ければよい。
また、第１端部蓋１４０の通気口１４６に、異物の侵入を防止する網又はネットを設けてもよい。
また、第１端部蓋１４０に第２端部蓋１５０の貫通孔１５５を設けてもよい。第１端部蓋１４０に貫通孔１５５を設ければ、第１端部蓋１４０と第２端部蓋１５０とは全く同一部品になり部品点数が減少する。
【００８４】
＜点灯空間１３７の他の構成＞
基板１２２とカバー１３０との間の点灯空間１３７に放熱を促進する透明シリコーン樹脂を充填してもよい。点灯空間１３７は狭いので、重量を大幅に増加させずにカバー１３０からの放熱を促進できる。
【００８５】
＜連結部２３０の他の構成＞
【００８６】
連結部２３０に円環部２３３を複数設け、１つの連結部２３０に対して複数の光源ユニット１０を取り付けてもよい。
たとえば、連結部２３０に４本の腕木を９０度間隔で設けて、４本の腕木の各端部に円環部２３３を設け、４個の円環部２３３にそれぞれ１つの光源ユニット１０を取り付ける。こうして、一つの受電端２００を有する支持ユニット２０に対して４個の光源ユニット１０を取り付けることができ、シャンデリアタイプの照明具１を得ることができる。
あるいは、連結部２３０に１本のストレートの腕木を設けて、腕木の中央と右端部と左端部とに合計３個の円環部２３３を設け、支持ユニット２０に対して３個の光源ユニット１０を並列に取り付けてもよい。
【００８７】
突設部２３５の放熱板２４０は４枚ではなく、３枚、又は、２枚でもよい。突設部２３５の枚数が少ないほど通気性が向上する。
図２１に示すように、連結部２３０の突設部２３５を４枚の放熱板２４０ではなく、４本の柱、又は、４本のパイプで構成してもよい。突設部２３５が柱又はパイプであれば、中央が大きく開口するので通気性が向上する。
パイプの場合は、配線部材３０を通すことができ、橋部１４４が不要になり通気性がさらに向上する。
【００８８】
＜部品の構成＞
照明具１が照明器具のランプカバーにより覆われる場合は、カバー１３０はなくてもよい。カバー１３０がない場合は、第１端部蓋１４０と第２端部蓋１５０も不要になる。カバー１３０がなければ、本体部１００の外周面と基板１２２の表面とが露出するので本体部１００の外周面と基板１２２の表面とからの放熱性が向上する。
【００８９】
第２端部蓋１５０と支持体２１０とを一つの部品で構成してもよい。
支持体２１０と連結部２３０とを一つの部品で構成してもよい。
第２端部蓋１５０と支持体２１０と連結部２３０とを一つの部品で構成してもよい。
【００９０】
＜防水構造の構成＞
以下のよう構造で防水構造とすることができる。
（１）第１ガスケット１６０をリング状のゴムシートにして、第１ガスケット１６０に本体部１００とカバー１３０との両方の端部を密着させる。
（２）第２端部蓋１５０の貫通孔１５５に配線部材３０を通してから、貫通孔１５５をシリコーン接着剤で封止する。
以上の構造により、点灯空間１３７が密閉されることになり、光源ユニット１０が防水構造となる。
（３）支持体２１０と連結部２３０とを第３ガスケット４０に密着させ、貫通孔１５５から引き出された配線部材３０を第３ガスケット４０で密封する。
（４）配線部材３０は、連結部２３０挿通部２３６に挿入されて支持体２１０の配線穴２４８を貫通しているので、支持体２１０の配線穴２４８をシリコーン接着剤で封止する。
（５）支持体２１０と受電端２００との防水構造、及び、受電端２００とソケットとの防水構造は、既存の防水構造を採用する。
【００９１】
実施の形態２．
本実施の形態について、主に実施の形態１との差異を説明する。
【００９２】
＜＜＜水平方向設置＞＞＞
図２２は、中心軸Ｏが略水平方向と沿う状態で照明具１が使用される道路用照明装置の例である。
【００９３】
＊＊＊構成の説明＊＊＊
照明装置１０００は、実施の形態１で説明した照明具１が取り付けられた照明器具２を有している。照明器具２は、ソケット１０１０とランプカバー１０１１とを有している。
照明装置１０００は、地面に立てられた支柱１００１を有している。支柱１００１の下部から、商用交流電源１０２０に接続された導入線１００２が引き込まれている。
支柱１００１の下部には、点灯装置１００４を配置した電源配置部１００３がある。点灯装置１００４は、導入線１００２から入力した交流電源を直流電源に変換して支柱内電線１００５に出力する。支柱内電線１００５は、ソケット１０１０に接続されている。
【００９４】
＜＜＜上向き設置＞＞＞
図２３は、受電端２００を下方に向け中心軸Ｏが略鉛直方向と沿う状態で照明具１が使用される街路用照明装置の例である。
【００９５】
＊＊＊構成の説明＊＊＊
照明装置１０００は、実施の形態１で説明した照明具１が取り付けられた照明器具２を有している。照明器具２は、ソケット１０１０とランプカバー１０１１とを有している。ソケット１０１０は、ソケット配置部１０１２に上向きに取り付けられている。
その他の構成は、図２２と同様なので、説明を省略する。
【００９６】
＜＜＜下向き設置＞＞＞
図２４は、受電端２００を上方に向け中心軸Ｏが略鉛直方向と沿う状態で照明具１が使用される高天井用照明装置の例である。
【００９７】
＊＊＊構成の説明＊＊＊
照明装置１０００は、実施の形態１で説明した照明具１が取り付けられた照明器具２を有している。照明器具２は、ソケット１０１０と笠１０１４とを有している。
ソケット１０１０は、ソケット配置部１０１２に下向きに取り付けられている。
照明器具２は天井５０００から吊下部１０１３により支柱１００１を介して吊り下げられている。
【００９８】
実施の形態３．
本実施の形態では、主に実施の形態１、２との差異を説明する。
本実施の形態では、弾性部品を有する照明具と照明装置について説明する。
＊＊＊構成の説明＊＊＊
図２５、図２６は、弾性部品７０を有する照明具１を示す図である。
図２５に示す照明具１の構成は、実施の形態１、２と同じであるが、弾性部品７０を有する点が異なる。
【００９９】
照明具１は、光源ユニット１０と、光源ユニット１０を支持した支持ユニット２０とを有する。
光源ユニット１０は、カバー１３０を有する。
カバー１３０は、筒管の形状をしている。
【０１００】
弾性部品７０は、光源ユニット１０に取り付けられている。
弾性部品７０は、光源ユニット１０の外側に取り付けられている。
弾性部品７０は、光源ユニット１０の外周に嵌め込まれたリングである。
【０１０１】
図２７に示すように、弾性部品７０は、環状形状又はリング形状をしている。
弾性部品７０の直径方向の断面形状は、タイヤの直径方向の断面形状と同様でコ字形をしている。
弾性部品７０の環状内周面７４には、中央が半径方向外側に窪んだ環状凹部７１が形成されている。
図２６の（ｂ）に示すように、環状凹部７１は、第１端部蓋１４０の外周に嵌め込まれる。
弾性部品７０の外周径は、第１端部蓋１４０の外周より大きい。
環状内周面７４の径は、カバー１３０の外周径と同じであるか、やや小さい。
【０１０２】
弾性部品７０は、衝撃を緩和する緩衝部材である。
弾性部品７０は、ゴム、樹脂、ウレタン、スポンジ、シリコン、又は、その他の弾性体でできている。
ＥＰＤＭ（エチレンプロピレンジエンゴム）は、市販されているゴムの中で比重が小さく、耐候性に優れており、弾性部品７０の素材として好適である。
シリコンは、無色・無臭で撥水性を持ち、耐油性・耐酸化性・耐熱性に優れており、弾性部品７０の素材として好適である。
弾性部品７０は、振動による第１端部蓋１４０の他の部品との衝突を和らげるものであるから、第１端部蓋１４０よりも柔らかいる素材で製造されている。
【０１０３】
弾性部品７０は、振動に対して耐久性があること、長時間の使用でも劣化しないことが好ましい。さらに軽量であることが好ましい。
照明具１と照明器具２との空間を小さくするために、照明具１全体を大きくすることは、重量化、弾性部品７０のコスト、各部強度維持にかかるコストなどの面から課題が大きく量産に向かない。弾性部品７０は、照明具１の一部（例えば先端の振幅が最大となる部分）に取り付けられていることが好ましい。
照明具１の形状は限定されない。例えば、照明具１、弾性部品７０は、円筒形以外に角筒形であってもよい。また、弾性部品７０は、振動で破壊されない耐力を有していれば、弾性体ではなく硬質であっても良い。
【０１０４】
弾性部品７０は、自分自身の伸縮性により光源ユニット１０に着脱可能に取り付けられている。
また、弾性部品７０を粘着素材で形成すれば、弾性部品７０を伸縮性と粘着性とにより光源ユニット１０に着脱可能に取り付けることができる。
あるいは、弾性部品７０を装着後に分離できないように光源ユニット１０に固定してもよい。
【０１０５】
図２５において、ＨＫは、配光の中心に比べて明るさが１／２となる配光角である。また、ＨＷは、配光の中心に比べて明るさが１／３となる配光角である。
弾性部品７０の外端は、すべての光源素子の配光角ＨＫの外側にあり、弾性部品７０の外端が、光源ユニット１０の配光特性に及ぼす影響は限られている。
また、弾性部品７０の外端は、すべての光源素子の配光角ＨＷの外側にあることが望ましい。
また、配光特性への影響を減じるために、弾性部品７０は、透明シリコン又は透明樹脂のような透明素材で形成されていることが望ましい。あるいは、弾性部品７０の表面を鏡面にして弾性部品７０の表面を反射鏡としてもよい。
【０１０６】
図２８、図２９、図３０は、照明具１を照明器具２に取り付けた照明装置１０００を示している。
図２８、図２９、図３０において、（ａ）は、実施の形態１，２で述べた照明具１を照明器具２に取り付けた照明装置１０００を示している。
図２８、図２９、図３０において、（ｂ）は、ガラスバルブあるいは樹脂バルブ内に光源ユニットが配置された照明具１を照明器具２に取り付けた照明装置１０００を示している。
【０１０７】
図２８は、水平方向設置の街路用照明装置の例である。
図２８に示す照明装置１０００は、外郭となるランプカバー１０１１を有する。
ランプカバー１０１１は、照明具１を覆う筐体１０１５と光源ユニット１０を覆う透光カバー１０１６とを有する。
弾性部品７０は、光源ユニット１０がランプカバー１１０１と最も接近している場所に配置されている。すなわち、弾性部品７０は、照明器具２と最も接近している場所に配置されている。
弾性部品７０は、光源ユニット１０が振動した場合に最大振幅となる場所に取り付けられている。
図２８では、弾性部品７０は先端部に取り付けられている。
【０１０８】
図２９は、上向き設置の街路用照明装置の例である。
図２９に示す照明装置１０００は、筒形のランプカバー１０１１を有する。
弾性部品７０は、光源ユニット１０が振動した場合に最大振幅となる場所に取り付けられている。
【０１０９】
図３０は、下向き設置の高天井用照明装置の例である。
図３０に示す照明装置１０００は、笠１０１４を有する。
弾性部品７０は、光源ユニット１０が笠１０１４と最も接近している場所に配置されている。
図３０に示す笠１０１４は、上から３分の１の場所で内側にへこんでいるくびれがあるため、光源ユニット１０はくびれ部分において笠１０１４と最も接近している。
このため、図３０の（ａ）では、弾性部品７０は、第２端部蓋１５０の外周に嵌め込まれている。図３０の（ｂ）では、弾性部品７０は、笠１０１４のくびれた場所に取り付けられている。
【０１１０】
図２８、図２９、図３０の（ｂ）に示すように、ガラスバルブあるいは樹脂バルブに弾性部品７０を嵌める場合には、弾性部品７０に環状凹部７１はなくてもよく、弾性部品７０は単純な環状形状又はリング形状で構わない。
【０１１１】
＊＊＊弾性部品７０の他の形状の説明＊＊＊
図３１の（ａ）、（ｂ）、（ｃ）は、弾性部品７０が環状形状あるいはリング形状の他の例である。
図３１の（ａ）に示すように、弾性部品７０の内周形状は円形で、弾性部品７０の外周形状は、雲形、あるいは、不規則形でもよい。
図３１の（ｂ）に示すように、弾性部品７０の内周形状は円形で、弾性部品７０の外周に緩衝ばね７２を設けてもよい。
図３１の（ｃ）に示すように、弾性部品７０の内周形状は円形で、弾性部品７０の外周形状は、台形でもよい。図示しないが、弾性部品７０の外周形状は、矩形、多角形、楕円、又は、その他の形状でもよい。
図３１の（ｄ）に示すように、弾性部品７０は、完全な環状形状あるいは完全なリング形状でなくてもよく、円弧形状又はＣ字形状でもよい。弾性部品７０が円弧形状又はＣ字形状の場合、中心角は１８０度超が望ましく、半径外側方向に外れにくくするためには中心角は２７０度以上が好適である。
【０１１２】
＊＊＊弾性部品７０の他の形状の効果＊＊＊
既存の照明器具２の形状は多様であり、照明器具２の形状に適合する弾性部品７０を提供することができる。
【０１１３】
＊＊＊密着構造の説明＊＊＊
弾性部品７０は、照明具１と照明器具２との両方に接触していてもよい。
照明具１と照明器具２との空間を小さくするために、弾性部品７０は、照明具１の少なくとも一部に取り付けられた状態で弾性部品７０が照明器具２と接触していてもよい。
すなわち、弾性部品７０は、照明器具２と接触していてもよい。
【０１１４】
図３２に示すように、弾性部品７０の外周形状を、ランプカバー１０１１の内周形状と一致させてもよい。
図３２の（ａ）に示すように、弾性部品７０の外周形状を円形にして、円形の内周形状を有するランプカバー１０１１に装着すれば、弾性部品７０とランプカバー１０１１が密着する。
図３２の（ｂ）に示すように、弾性部品７０の外周形状を角形にして、角形の内周形状を有するランプカバー１０１１に装着すれば、弾性部品７０とランプカバー１０１１が密着する。
図３２の（ｃ）に示すように、弾性部品７０の外周形状を角形にして、角形の内周形状を有するランプカバー１０１１に装着すれば、弾性部品７０とランプカバー１０１１が密着する。
図３２の（ｃ）の場合は、弾性部品７０の内周形状も角形にしているので、環状凹部７１の４箇所のみを嵌めるだけでよい。弾性部品７０の環状凹部７１すべてが第１端部蓋１４０に嵌る必要はない。
図３２の（ｄ）に示すように、弾性部品７０を円弧形状又はＣ字形状にしてもよい。
矢印で示す照射方向に弾性部品７０が存在しないようにすれば、見た目もよいし、光学的特性への悪影響が少ない。
弾性部品７０は、矢印で示す照射方向とは反対側でランプカバー１０１１に密着している。
図３２の（ｅ）に示すように、弾性部品７０を緩衝凸部７３で形成してもよい。
緩衝凸部７３は、ドーム形状、山形形状、釣鐘形状、又は、半球形状をしている。
緩衝凸部７３の先端は、ランプカバー１０１１の内壁に密着している。
緩衝凸部７３は、ランプカバー１０１１に最も接近した位置に接着剤又は両面テープで貼付される。
緩衝凸部７３は、矢印で示す照射方向とは反対側でランプカバー１０１１に密着しているので、目立たないし、光学的特性への悪影響が少ない。
【０１１５】
＊＊＊密着構造の効果＊＊＊
弾性部品７０とランプカバー１０１１が密着していれば、照明具１が、照明器具２の内部で振動することを抑制することができる。特に、弾性部品７０又は緩衝凸部７３を粘着振動吸収素材で作成して、本体部１００とランプカバー１０１１との両方に粘着させておけば、振動が加わった場合、粘着振動吸収素材が延び縮みして振動を吸収する。
また、弾性部品７０とランプカバー１０１１が密着していれば、照明具１の熱が弾性部品７０に伝わりランプカバー１０１１に放熱することができる。
【０１１６】
図示しないが、図３１の（ａ）の雲形の弾性部品７０の外周をランプカバー１０１１の内壁に接触させてもよい。
また、図３１の（ｂ）の緩衝ばね７２をランプカバー１０１１の内壁に接触させてもよい。
【０１１７】
＊＊＊弾性部品７０の他の例＊＊＊
図３３は、バルブ管に好適な弾性部品７０の例を示している。
図３３の（ａ）に示すように、弾性部品７０の形状を、半球形状又はキャップ形状にしてバルブ管の本体部１００の端部に被せてもよい。
図３３の（ｂ）に示すように、弾性部品７０の形状を、鍔付き帽子、又は、麦わら帽子形状にしてバルブ管の本体部１００発光素子の端部にかぶせてもよい。
図３３の（ｃ）に示すように、弾性部品７０の形状を、ドーム形状、山形形状、釣鐘形状、又は、半球形状にした緩衝凸部７３としてもよい。
緩衝凸部７３は、振動方向の両側に設けることが好ましい。
あるいは、緩衝凸部７３は、ガラスが割れないように先端をガラスに向けて設けることが好ましい。
あるいは、緩衝凸部７３は、本体部１００の外面とランプカバー１０１１の内面とが最も近い部分に設けることが好ましい。
図３３の（ｄ）に示すように、バルブ管の外面全体に緩衝層７７を形成してもよい。緩衝層７７としては、透明なシリコン層が好適である。緩衝層７７は、バルブ管をシリコン液に浸して引き揚げてから乾燥させることで形成することができる。
図示しないが、弾性部品７０に、環状凹部７１はなくてもよい。環状凹部７１がない場合、弾性部品７０は、輪ゴム状になり、バルブ管にゴム止めされる。
図示しないが、弾性部品７０を複数取り付けてもよく、第１端部蓋１４０と第２端部蓋１５０に取り付けてもよい。
図示しないが、第１端部蓋１４０そのものを弾性部品７０としてもよい。第１端部蓋１４０を金属より柔軟な素材であり、かつ、ある程度の強度がある素材で製造すれば、第１端部蓋１４０は構造体としての機能と緩衝材としての機能を発揮することができる。
【０１１８】
＊＊＊弾性部品７０の取付方法の説明＊＊＊
弾性部品７０は、弾性体であるため、延び縮みが可能である。
したがって、照明具１を製造した後に、道具を使用することなく人手で弾性部品７０を取り付けることができる。
作業者は、複数種類の弾性部品７０を準備して、照明具１を照明器具２に取り付ける現場に持参する。作業者は、現場において、照明器具２の形状を確認し、その照明器具２に適した弾性部品７０を選択する。
【０１１９】
具体的には、以下の手順で弾性部品７０を取り付ける。
１．弾性部品７０の環状凹部７１を第１端部蓋１４０の外周の一部に引っ掛ける。
２．次に、弾性部品７０を人手で引き延ばしながら、隣接する環状凹部７１が第１端部蓋１４０の外周の一部から徐々に嵌るように引っ掛けていく。
３．最後に、弾性部品７０にかけていた力を解除して、まだ嵌っていない環状凹部７１を第１端部蓋１４０の外周に嵌め込む。
【０１２０】
次に、弾性部品７０が取り付けられた照明具１を照明器具２に取り付ける。
照明具１を照明器具２に取り付ける方法は、ねじ込む方法、差し込む方法、差し込んでから角度を変える方法、差し込んでねじる方法、又は、その他の方法が知られている。
弾性部品７０が取り付けられた照明具１が照明器具２に取り付けにくい時は、照明具１を照明器具２に取り付けた後、弾性部品７０を照明具１に取り付ければよい。
【０１２１】
＊＊＊防水構造の説明＊＊＊
図３４は、弾性部品７０による防水構造を示す図である。
ここでは、カバー１３０と第１端部蓋１４０とによる２重化防水構造について説明する。
【０１２２】
弾性部品７０は、内周に環状内周面７４を有する。
弾性部品７０の内周径は、カバー１３０の外周面１３２の径より小さい。
したがって、環状内周面７４は、カバー１３０の外周面１３２に密着する。
環状内周面７４は、カバー１３０の外周面１３２と全周で密着している。
また、環状凹部７１が、第１端部蓋１４０の外縁と全周で密着している。
【０１２３】
図３４に示すように、第１端部蓋１４０は、第１ガスケット１６０を配置する環状の溝部１４２を有する。
第１ガスケット１６０の径は、溝部１４２の径及びカバー１３０の径と同じである。
第１ガスケット１６０は、溝部１４２に配置されており、第１端部蓋１４０が本体部１００にねじ止めされることにより、第１ガスケット１６０にカバー１３０の端部が密着している。
第１ガスケット１６０は、カバー１３０の端部１３４と全周で密着する。
【０１２４】
＊＊＊防水構造の効果＊＊＊
弾性部品７０は、カバー１３０と第１端部蓋１４０との結合部に配置されており、カバー１３０と第１端部蓋１４０の間からの水の侵入を防止する。
弾性部品７０の環状内周面７４がカバー１３０の外周面１３２に密着するので、図３４のＷＴ１からの水の侵入を防止することができる。ＷＴ１からの水の侵入がなければ、ＷＴ２からの水の侵入はありえない。
仮に、ＷＴ１から水が侵入したとしても、第１ガスケット１６０がカバー１３０の端部１３４と密着するので、図３４のＷＴ２からの水の侵入を防止することができる。
このように、弾性部品７０の装着により、防水構造を２重にすることができる。
【０１２５】
さらに、防水効果を高めるため、接着剤を用いて、環状内周面７４をカバー１３０の外周面１３２に水密に接着してもかまわない。
また、図３５に示すように、さらに防水効果を高めるため、弾性部品７０とカバー１３０との表面に、透明な防水フィルム７５を施してもよい。防水フィルム７５は、防水膜であり、飛散防止膜としても機能する。防水フィルム７５の装着により、防水構造を３重にすることができる。
【０１２６】
＊＊＊引っ掛け構造の説明＊＊＊
図３６に示すように、弾性部品７０を第１端部蓋１４０の外周に嵌めるのではなく、第１端部蓋１４０の円環部１４１に取り付けてもよい。
弾性部品７０は、第１端部蓋１４０の内周面に嵌め込む複数の引っ掛け爪７６を有する。
引っ掛け爪７６は、第１端部蓋１４０の円環部１４１の内周に挿入され、円環部１４１の裏面に引っ掛けられる。
弾性部品７０は、図３６に矢印の向きに押されるだけで、第１端部蓋１４０に取り付けられる。
弾性部品７０は、引っ掛け爪７６により、第１端部蓋１４０に対して着脱可能に取り付けられる。
【０１２７】
＊＊＊引っ掛け構造の効果＊＊＊
弾性部品７０を引っ掛け爪７６により簡単に取り付けることができる。
作業者は、第１端部蓋１４０に向けて弾性部品７０を押すだけで、弾性部品７０を第１端部蓋１４０に取り付けることができる。
特に、図３２に示すように、弾性部品７０の外周形状がランプカバー１０１１の内周形状と一致している場合、弾性部品７０を押すだけで弾性部品７０を第１端部蓋１４０に取り付けることができる。
【０１２８】
＊＊＊隣接配置の説明＊＊＊
図３７に示すように、弾性部品７０を第１端部蓋１４０の外周に嵌めるのではなく、カバー１３０の外周に嵌めてもよい。その際、弾性部品７０を第１端部蓋１４０に隣接させて配置するのがよい。
また、弾性部品７０の外周に、発光素子１２１に向かって傾斜した反射面７８を形成することが望ましい。あるいは、弾性部品７０は、透明シリコン又は透明樹脂のような透明素材で形成されていることが望ましい。
弾性部品７０は、伸縮可能であり第１端部蓋１４０を乗り越えてカバー１３０に嵌め込むことができ、カバー１３０に対して着脱可能に取り付けられる。
【０１２９】
＊＊＊隣接配置の効果＊＊＊
弾性部品７０は、第１端部蓋１４０に隣接しているので、カバー１３０から外れにくい。
弾性部品７０は、反射面７８を有しているので、発光素子１２１からの光を反射することができる。
【０１３０】
＊＊＊ランプの種類＊＊＊
本実施の形態では、ＬＥＤランプを例にして説明したが、蛍光ランプ、電球形ランプ、高圧放電ランプ、又は、その他のランプでもかなわない。
【０１３１】
＊＊＊実施の形態の効果＊＊＊
本実施の形態では、照明具１と照明器具２との距離を少なくとも部分的に小さくする弾性部品７０を照明具１に取り付ける。又は、照明具１と照明器具２とに接触する弾性部品７０を照明具１に取り付ける。
本実施の形態によれば、弾性部品７０がスペーサの役割を果たし、照明具１と照明器具２の外郭（筐体１０１５、透光カバー１０１６）との距離を小さくするので、照明器具２の内部で照明具１が大きく振動することがない。
また、照明器具２全体が振動しても、内部の照明具１は主として照明器具２と同じモードで振動し、照明具１のみが大きく振動することがない。
こうして、地震などの振動によって、照明具１及び照明器具２の破損を防ぐことができる。
【０１３２】
本実施の形態は、先行技術文献に開示されたソケット保持機構又は保持部材を備えておらず、照明器具には専用の取付け構造が設けられていることを前提としない。
本実施の形態は、弾性部品７０が光源ユニット１０のみに取り付けられているので、既設の照明器具に専用の取付け構造が設けられていなくても、制振することができる。
本実施の形態は、照明具１に弾性部品を取り付けるだけなので、既設の照明器具でも制振することができる。
また、本実施の形態では、照明器具の下側にガラス製のカバーが取り付けられている照明器具でも、あるいは、３６０度方向にガラス製のカバーが取り付けられている照明器具でも、制振することができる。
また、照明ランプの最大振幅となる場所に弾性部品を取り付けるという単純な構成で制振することができる。
弾性部品７０１は、弾性を有し、所謂「押しばね（圧縮ばね）」の原理を用いたものでる。
【０１３３】
また、弾性部品７０を長時間の使用でも劣化しない材料を用いて製造すれば、長期信頼性が高まる。
また、弾性部品７０を介して照明具１と照明器具２の一部を接触させる構造とすることにより、金属製の照明器具２に照明具１の熱を伝えて、放熱効果を高めることができる。弾性部品７０に放熱フィラを添加して放熱効果を高めてもよい。
【符号の説明】
【０１３４】
１  照明具、２  照明器具、１０  光源ユニット、１００  本体部、１０１  筒部、１０２  取付部、１０３  内周面、１０４  端部、１０５  熱放散部、１０６  ネジ孔、１０７  内部空間、１０８  放熱フィン、１０９  通気空間、１１０  外周面、１１１  鍔、１１２  通気穴、１１３  スリット、１２０  発光部、１２１  発光素子、１２２  基板、１３０  カバー、１３１  透光部、１３２  外周面、１３３  内周面、１３４  端部、１３７  点灯空間、１４０  第１端部蓋、１４１  円環部、１４２  溝部、１４３  ネジ孔、１４４  橋部、１４６  通気口、１４７  幅太橋、１４８  幅細橋、１４９  環状庇、１５０  第２端部蓋、１５１  円環部、１５２  溝部、１５３  ネジ孔、１５４  橋部、１５５  貫通孔、１５６  通気口、１５７  幅太橋、１５８  幅細橋、１５９  環状庇、１６０  第１ガスケット、１７０  ネジ、２０  支持ユニット、２００  受電端、２０１  口金筐体、２０２  アイレット、２１０  支持体、２１１  羅合部、２１２  支持筒部、２１３  支持鍔部、２１４  ネジ孔、２１５  溝部、２１６  第１端部、２１７  第２端部、２３０  連結部、２３１  連結筒部、２３２  連結鍔部、２３３  円環部、２３４  ネジ孔、２３５  突設部、２３６  挿通部、２３７  溝部、２３８  第１端部、２３９  第２端部、２４０  放熱板、２４１  幅太ブリッジ、２４２  幅細ブリッジ、２４６  通気口、２４７  蓋、２４８  配線穴、２４９  突設空間、２５０  第２ガスケット、２６０  ネジ、３０  配線部材、４０  第３ガスケット、５０  ネジ、１０００  照明装置、１００１  支柱、１００２  導入線、１００３  電源配置部、１００４  点灯装置、１００５  支柱内電線、１０１０  ソケット、１０１１  ランプカバー、１０１２  ソケット配置部、１０１３  吊下部、１０１４  笠、１０２０  商用交流電源、５０００  天井、Ｏ  中心軸、７０  弾性部品、７１  環状凹部、７２  緩衝ばね、７３  緩衝凸部、７４  環状内周面、７５  防水フィルム、７６  引っ掛け爪、７７  緩衝層、７８  反射面、１０１５  筐体。
【図１】
2018018621.tif 000003
【図２】
2018018621.tif 000004
【図３】
2018018621.tif 000005
【図４】
2018018621.tif 000006
【図５】
2018018621.tif 000007
【図６】
2018018621.tif 000008
【図７】
2018018621.tif 000009
【図８】
2018018621.tif 000010
【図９】
2018018621.tif 000011
【図１０】
2018018621.tif 000012
【図１１】
2018018621.tif 000013
【図１２】
2018018621.tif 000014
【図１３】
2018018621.tif 000015
【図１４】
2018018621.tif 000016
【図１５】
2018018621.tif 000017
【図１６】
2018018621.tif 000018
【図１７】
2018018621.tif 000019
【図１８】
2018018621.tif 000020
【図１９】
2018018621.tif 000021
【図２０】
2018018621.tif 000022
【図２１】
2018018621.tif 000023
【図２２】
2018018621.tif 000024
【図２３】
2018018621.tif 000025
【図２４】
2018018621.tif 000026
【図２５】
2018018621.tif 000027
【図２６】
2018018621.tif 000028
【図２７】
2018018621.tif 000029
【図２８】
2018018621.tif 000030
【図２９】
2018018621.tif 000031
【図３０】
2018018621.tif 000032
【図３１】
2018018621.tif 000033
【図３２】
2018018621.tif 000034
【図３３】
2018018621.tif 000035
【図３４】
2018018621.tif 000036
【図３５】
2018018621.tif 000037
【図３６】
2018018621.tif 000038
【図３７】
2018018621.tif 000039